【事件の表示】
　特許第２９６９８２９号「プリンタ」の請求項１に係る特許に対する特許異議の申立てについて、次のとおり決定する。
【結　論】
　訂正を認める。
　特許第２９６９８２９号の請求項１に係る特許を維持する。
【理　由】
１．手続きの経緯
　特許第2969829号の請求項１に係る発明は、平成2年7月6日に特許出願され、平成11年8月27日にその特許の設定登録がなされ、その後、異議申立人　溝呂木寛、異議申立人　相原光政より特許異議の申立てがなされ、その指定期間内である平成12年11月6日付けで特許異議意見書の提出とともに、訂正請求がなされたものである。
　
２．訂正の適否についての判断
（１）訂正の内容
［訂正事項１］
　特許明細書の特許請求の範囲の請求項１の
「プリント動作開始を指示する制御信号を入力するキー操作部と、画像データを保持する画像メモリとを有し、上記画像メモリに保持されている画像データによって表される画像をプリントアウトするプリンタにおいて、上記画像をプリントするプリント部と、上記画像メモリに上記画像データが格納されているか否かを判別する判別手段と、上記キー操作部から上記制御信号が供給されたときに、上記プリント部がプリント動作を行うように上記プリント部を制御する制御手段とを備え、上記制御手段は、上記判別手段の判別結果に基づいて、上記画像メモリ内に画像データがある時には、上記キー操作部から上記制御信号が供給されたときに、上記画像メモリに格納されている上記画像データが上記プリント部によってプリントされるように上記プリント部をプリント動作状態とし、上記画像メモリ内に画像データが無い時には、上記キー操作部から上記制御信号が供給されても、上記プリント部をプリント動作状態にしないようになされていることを特徴とするプリンタ。」
を
「画像データを保持する画像メモリと、上記画像メモリに保持されている画像データによって表される画像をプリントアウトするプリント部とを有するプリンタにおいて、上記画像メモリへの画像データの入力を指示する制御信号を入力する画像入力キー、上記画像メモリ内の画像データの消去を指示する制御信号を入力する画像消去キー及びプリント動作開始を指示する制御信号を入力するプリントキーを有するキー操作部と、上記画像をプリントするプリント部と、初期状態では、クリア状態とされ、上記画像入力キーが操作される時にセットされ、上記画像消去キーが操作される時にクリアされるフラグを記憶する記憶手段と、上記キー操作部から上記プリントキーの操作により上記プリント動作開始を指示する上記制御信号が供給された時に、上記記憶手段に記憶されている上記フラグがセットされているか否かを判別し、上記フラグがセットされている時に上記画像メモリに画像データが格納されていると判別し、上記画像メモリに格納されている上記画像データが上記プリント部によってプリントされるように上記プリント部をプリント動作状態とし、上記記憶手段に記憶されている上記フラグがクリアされている時に上記画像メモリに画像データが格納されていないと判別し、上記キー操作部から上記プリント制御信号が供給されても、上記プリント部をプリント動作状態にしないように上記プリント部を制御すると共に、警告を発生させる制御手段とを備えていることを特徴とするプリンタ。」
と訂正する。
　
［訂正事項２］
ア）特許明細書の発明の詳細な説明における［課題を解決するための手段］の項の記載を、
「この発明は、画像データを保持する画像メモリと、画像メモリに保持されている画像データによって表される画像をプリントアウトするプリント部とを有するプリンタにおいて、画像メモリへの画像データの入力を指示する制御信号を入力する画像入力キー、画像メモリ内の画像データの消去を指示する制御信号を入力する画像消去キー及びプリント動作開始を指示する制御信号を入力するプリントキーを有するキー操作部と、画像をプリントするプリント部と、初期状態では、クリア状態とされ、画像入力キーが操作される時にセットされ、画像消去キーが操作される時にクリアされるフラグを記憶する記憶手段と、キー操作部からプリントキーの操作によりプリント動作開始を指示する制御信号が供給された時に、記憶手段に記憶されているフラグがセットされているか否かを判別し、フラグがセットされている時に画像メモリに画像データが格納されていると判別し、画像メモリに格納されている画像データがプリント部によってプリントされるようにプリント部をプリント動作状態とし、記憶手段に記憶されているフラグがクリアされている時に画像メモリに画像データが格納されていないと判別し、キー操作部からプリント制御信号が供給されても、プリント部をプリント動作状態にしないようにプリント部を制御すると共に、警告を発生させる制御手段とを備えていることを特徴とするプリンタである。」
と訂正する。
イ）特許明細書の発明の詳細な説明における［発明の効果］の項の記載を、
「この発明にかかるプリンタによれば、プリント動作が指令された時、画像メモリ内に画像データが格納されているか否か判別され、もし、画像メモリ内に画像データが格納されていない時にはプリント動作を禁止する制御がなされ、一方、画像メモリ内に画像データがある時には通常のプリント動作がなされるので、画像メモリに画像データが格納されていない場合にはプリント動作に入ってしまうことを防止できるという効果がある。この発明では、画像メモリ内の画像データを消去するためのキーを備えているので、一旦、画像を画像メモリに取り込んだ後でも、画像データが消去されることがある。従って、画像データをメモリに取り込まない場合のみならず、取り込んだ後でプリントするまでの間に、画像データを消去する場合でも画像データが格納されていない場合が生じる。この発明によれば、消去のためのキーが操作されると、フラグがクリアされるので、消去のためのキーを操作したことを忘れても、プリント動作されることを防止できる。この結果、従来のプリンタで発生していたようなプリント動作に関する誤操作を防止できてプリント材の無駄な消費を防止でき、そして、ナンセンスコールを減らせるという効果がある。」
と訂正する。
　
（２）訂正の目的の適否、新規事項の有無及び拡張・変更の存否
　訂正事項１については、画像メモリに画像データを保持するための画像入力キーや画像消去キーについて限定するとともに、判別手段について具体的に「初期状態では、クリア状態とされ、上記画像入力キーが操作される時にセットされ、上記画像消去キーが操作される時にクリアされるフラグを記憶する記憶手段と、上記キー操作部から上記プリントキーの操作により上記プリント動作開始を指示する上記制御信号が供給された時に、上記記憶手段に記憶されている上記フラグがセットされているか否かを判別」と限定するものであり、特許請求の範囲の減縮を目的とするものである。
　訂正事項２のア）及びイ）については、特許請求の範囲の訂正に伴って、明細書の発明の詳細な説明における「発明が解決しようとする課題」及び「発明の効果」の項をそれに整合させるための訂正であり、明りょうでない記載の釈明を目的とするものである。
　
（３）むすび
　以上のことから、上記訂正は、平成６年改正法附則第6条第1項の規定によりなお従前の例によるとされる、特許法第120条の4第3項において準用する平成６年改正法による改正前の特許法第126条第1項ただし書き、第2項及び第3項の規定に適合するので、当該訂正を求める。
　
３．特許異議申立てについて
（１）特許異議申立の概要
　異議申立人　溝呂木寛は、本件特許の請求項１に係る発明は、甲第１号証（特開平2-165952号公報）に記載された発明、若しくはその発明に基づいて当業者が容易に発明をすることができたものであるから、特許法第29条第1項第3号に該当するか、もしくは特許法第29条第2項の規定により、特許を受けることができない、と主張している。（以下、「理由１」という。）
　異議申立人　相原光政は、本件特許の請求項１に係る発明は、甲第１号証（特開昭60-228180号公報）及び甲第２号証（特開昭63-296953号公報）に記載された発明に基づいて、当業者が容易に発明をすることができたものであるから、特許法第29条第2項の規定により、特許を受けることができない、と主張している。（以下、「理由２」という。）
　
（２）当審の取消理由
　当審の取消理由も、溝呂木寛の異議申立の証拠の甲第１号証を刊行物１（特開平2-165952号公報）とし、相原光政の異議申立の証拠の甲第１号証、甲第２号証をそれぞれ刊行物２（特開昭60-228180号公報）、刊行物３（特開昭63-296953号公報）としただけで、異議申立の理由と同じである。
　
（３）本件発明
　訂正明細書の請求項１に係る発明は、その特許請求の範囲の請求項１に記載された次のとおりのものである。（以下、「本件発明」という。）
「画像データを保持する画像メモリと、上記画像メモリに保持されている画像データによって表される画像をプリントアウトするプリント部とを有するプリンタにおいて、上記画像メモリへの画像データの入力を指示する制御信号を入力する画像入力キー、上記画像メモリ内の画像データの消去を指示する制御信号を入力する画像消去キー及びプリント動作開始を指示する制御信号を入力するプリントキーを有するキー操作部と、上記画像をプリントするプリント部と、初期状態では、クリア状態とされ、上記画像入力キーが操作される時にセットされ、上記画像消去キーが操作される時にクリアされるフラグを記憶する記憶手段と、上記キー操作部から上記プリントキーの操作により上記プリント動作開始を指示する上記制御信号が供給された時に、上記記憶手段に記憶されている上記フラグがセットされているか否かを判別し、上記フラグがセットされている時に上記画像メモリに画像データが格納されていると判別し、上記画像メモリに格納されている上記画像データが上記プリント部によってプリントされるように上記プリント部をプリント動作状態とし、上記記憶手段に記憶されている上記フラグがクリアされている時に上記画像メモリに画像データが格納されていないと判別し、上記キー操作部から上記プリント制御信号が供給されても、上記プリント部をプリント動作状態にしないように上記プリント部を制御すると共に、警告を発生させる制御手段とを備えていることを特徴とするプリンタ。」
　
（４）刊行物記載の発明
［刊行物１（特開平2-165952号公報）記載の発明］
ａ）本発明は映像信号を記録紙に印刷するビデオプリンタ装置に関するものである。（公報第1頁右下欄4〜5行）
ｂ）本発明は画像データを保持する画像メモリ1と、順次与えられる画像データにより画像を印字するプリント部2と、メモリキー及びプリントキーを含むキーを有するキー操作部3と、前記キー操作部より与えられるメモリキー入力に基づいて入力画像信号を前記メモリに書き込むと共に、前記キー操作部のプリントキー入力によって前記メモリに保持されているデータを読み出して前記プリント部に与える制御手段4とを有するビデオプリンタ装置であって（2頁右上欄18行〜左下欄7行）
c)またプリントキー15ｃが出力された場合は画像メモリ13にデータが書き込まれているかどうかステップ33で確認し、データが無い場合はステップ23に戻り、画像データがある場合はそのデータを順次ラインメモリ17に与えてプリント出力を行う。そして一画面のプリントが終了するとステップ23へ戻り、キー入力待ち状態となる。ここでＣＰＵ11はステップ25及26びにおいてメモりキー15ａの入力が与えられたときに画像入力信号の有無及びその画像入力信号を画像出力中か否かを判別し、画像入力信号を画像メモリ13に書き込む書き込み手段5の機能を達成している。またＣＰＵ11はステップ33においてプリントキー入力により画像メモリのデータが画像データか否かを判別し、画像データをプリント部に与えるプリント制御手段6の機能を達成している。（3頁右上欄18行〜左下欄14行）
　　以上の記載を対比のためにまとめると、刊行物１には以下のような発明が記載されている。
　画像データを保持する画像メモリ13（1）と、画像メモリ13（1）に保持されている画像データによって表される画像をプリントアウトするプリント部とを有するビデオプリンタ装置において、画像メモリ13（1）への画像データの入力を指示する制御信号を入力するメモリキー15ａ、及びプリント動作開始を指示する制御信号を入力するプリントキー15ｃを有するキー操作部と、画像メモリ13に画像データが格納されているか否かを判別する判別手段（ステップ33）を有し、プリントキー15ｃから上記制御信号が供給されたときに、プリント部がプリント動作を行うようにプリント部を制御するプリント制御手段6とを備え、上記制御手段は、上記判別手段の判別結果に基づいて、画像メモリ13内に画像データがある時には、プリントキー15ｃから上記制御信号が供給されたときに、画像メモリ13に格納されている画像データがプリント部によってプリントされるようにプリント部をプリント動作状態とし、画像メモリ13内に画像データが無い時には、プリントキー15ｃから上記制御信号が供給されても、プリント部をプリント動作状態にしないようになされているビデオプリンタ装置。
　
［刊行物２（特開昭60-228180号公報）記載の発明］
ａ）符号10は、信号線6ａのデータあるいは、後述する信号線12ａのデータ（補助メモリにストアーされたデータ）を入力し、記録を行う感熱プリンタ、インクジェットプリンタなどから成る記録部を示している。記録部10は制御回路18により信号線18ａの信号レベルが「０」（この記載部分は実際には０に縦線が重ねられているが、以下「０」と表示する）とされた時は、記録を行なわず、信号線18ａの信号レベルが「１」の時は、記録を行う。また、制御回路18が出力する信号線18ｂの信号レベルが「０」の時は、信号線6ａからのデータを記録し、信号線18ｂの信号レベルが「１」の時は、信号線12ａからのデータを記録する。（第2頁右上欄19行〜左下欄10行）
ｂ）符号12は、記録紙がなくなった後の情報をストアーするための補助メモリーを示している。すなわち、補助メモリー12は信号線18ｃの信号レベルが「１」の時は、信号線6ａのデータを入力し、メモリーにストアする。また、信号線18ｂの信号レベルが「１」の時は、メモリーにストアされたデータを、信号線12ａに出力する。さらに補助メモリにストアされたデータをすべて信号線12ａに出力すると、補助メモリー12は信号線12ｂにパルスを発生する。（第2頁左下欄11行〜末行）
ｃ）符号20で示されているものは公知のスイッチ入力回路などから構成された操作パネルの記録開始ボタン押下を検出する回路で、補助メモリー12に記憶された受信データの記録を開始するために当該ボタンが操作されると信号線20ａを介して制御回路18にパルスを出力する。（公報第2頁右下欄15行〜20行）
ｄ）制御回路18は情報の受信中、記録紙検出回路14の出力を調べることにより記録紙の有無をチェックする。そして記録紙切れを検出した場合に表示回路16により、（記録紙がなくなったので）受信データをメモリに記憶する旨の表示を行なう。そして通信動作を受信中のページで中断し、操作者の処理を待つ。ここで操作者が新しい記録紙を装填して記録開始ボタンを押下すると、この操作はボタン押下検出回路20により検出され、これを検知した制御回路18は記録部10により補助メモリー12内の受信データを記録させる。次に、第２図を参照して上記の制御回路18の制御手順について詳細に説明する。（第3頁左上欄4行〜17行）
ｅ）ステップＳ58においては、信号線20ａにパルスが発生したか、すなわち、操作パネルの記録を開始させるボタンが押下されたかどうかが判断される。信号線20ａにパルスが発生、すなわち、記録を開始させるボタンが押下されると、ステップＳ60に進む。ステップ60においては、信号線18ａに信号レベル「１」の信号を出力、すなわち、記録部10を能動状態とする。ステップＳ62においては、信号線18ａに信号レベル「１」の信号を出力、すなわち、記録部10に信号線12ａからの記憶されたデータを選択させて記録させる。（第3頁右下欄第15行〜4頁左上欄7行）
ｆ）続いてステップＳ64においては、信号線12ｂにパルスが発生したか、すなわち、補助メモリ12が、ストアしたデータをすべて信号線12ａに出力したかどうかが判断される。信号線12ｂにパルスが発生、すなわち、補助メモリー12にストアされたデータがすべて信号線12ａに出力された時にはステップＳ66に進む。ステップＳ66においては、信号線18ａに信号レベル「０」の信号を出力、すなわち、記録部10の記録動作を停止させる。（4頁左上欄8行〜17行）
　
［刊行物３（特開昭63-296953号公報）記載の発明］
ａ）フォームフィードスイッチ118が押されると、もしプリンタ内のバッファに何等かのデータが存在すれば、その全てのデータをプリントアウトする。もしプリントアウトすべきデータがなければ、このスイッチは作動しない。（公報第7頁右下欄17行〜第8頁左上欄1行）
ｂ）ＲＡＭ133は大容量のランダムアクセスメモリであり、主として次のような用途に使用される。（ａ）インプットバッファ　（ｂ）ページバッファ　（ｃ）ビデオバッファ　（ｄ）システムメモリ　（ｅ）フォントファイル　（ｆ）バックアップバッファ　（ｇ）ベクトルファイル　（ｈ）マクロファイル　（ｉ）イメージファイル　（ｊ）プリントスプーラファイル（第11頁左下欄8行〜15行）
ｃ）メモリマネージメント　プリンタコントローラ内にあるメモリ（ＲＡＭ）を有効に使用するために、メモリマネージメントが成される。このプリンタコントローラで使用されるメモリは、第28図（イ）に示すように次の３つのグループに分類される。・・・そして、一時メモリ領域には、フリーポインタとオキュパイドポインタとがあり、ＣＰＵはフリーポインタから必要なメモリ量を確保して一時メモリとして使用し、不必要となったメモリはオキュパイドポインタを進めておく。このようにして、一時メモリ領域はサイクリックに巡回して使用され、フリーポインタとオキュパイドポインタが一致していれば、一時メモリは使用されないことになる。（第22頁左上欄15行〜右下欄9行）
　
（５）理由１：本件発明と刊行物１記載の発明との対比・判断
　本件発明と刊行物１記載の発明を対比すると、
（ａ）刊行物１記載の発明の「メモリキー」、「プリント制御手段」、「ビデオプリンタ装置」は、それぞれ本件発明の「画像入力キー」、「制御手段」、「プリンタ」に相当し、
（ｂ）刊行物１記載の発明の「判別手段及びプリント制御手段」と本件発明の「記憶手段及び制御手段」とは、「画像メモリに画像データが格納されているか否かを判別し、上記キー操作部から上記プリントキーの操作により上記プリント動作開始を指示する上記制御信号が供給された時に、上記画像メモリに画像データが格納されていると判別したときは、上記画像メモリに格納されている上記画像データが上記プリント部によってプリントされるように上記プリント部をプリント動作状態とし、上記画像メモリに画像データが格納されていないと判別したときは、上記キー操作部から上記プリント制御信号が供給されても、上記プリント部をプリント動作状態にしないように上記プリント部を制御する」ものである点で共通し、
以上のことから、両者間には次のような一致点、相違点がある。
（一致点）
　画像データを保持する画像メモリと、上記画像メモリに保持されている画像データによって表される画像をプリントアウトするプリント部とを有するプリンタにおいて、上記画像メモリへの画像データの入力を指示する制御信号を入力する画像入力キー及びプリント動作開始を指示する制御信号を入力するプリントキーを有するキー操作部と、上記画像をプリントするプリント部と、画像メモリに画像データが格納されているか否かを判別し、上記キー操作部から上記プリントキーの操作により上記プリント動作開始を指示する上記制御信号が供給された時に、上記画像メモリに画像データが格納されていると判別したときは、上記画像メモリに格納されている上記画像データが上記プリント部によってプリントされるように上記プリント部をプリント動作状態とし、上記画像メモリに画像データが格納されていないと判別したときは、上記キー操作部から上記プリント制御信号が供給されても、上記プリント部をプリント動作状態にしないように上記プリント部を制御する制御手段を備えているプリンタ。
（相違点）
（ａ）キー操作部について、本件発明が「画像メモリ内の画像データの消去を指示する制御信号を入力する画像消去キー」を備えているのに対して、
刊行物１記載の発明はそのような画像消去キーを備えていない点
（ｂ）画像メモリに画像データが格納されているか否かを判別するために、本件発明は、初期状態では、クリア状態とされ、画像入力キーが操作される時にセットされ、画像消去キーが操作される時にクリアされるフラグを記憶する記憶手段を備え、フラグがセットされている時に画像メモリに画像データが格納されていると判別し、フラグがクリアされている時に上記画像メモリに画像データが格納されていないと判別しているのに対して、刊行物１記載の発明は、判別手段の具体的な構成について言及していない点
（ｃ）本件発明の制御手段が「画像メモリに画像データが格納されていないと判別したときは、警告を発生させる」ものであるのに対して、刊行物１記載の発明の制御手段はそのような機能を有していない点
（相違点の検討）
　相違点（ａ）については、「画像メモリ内の画像データの消去を指示する制御信号を入力する画像消去キー」については、刊行物１はもちろんのこと、下記の理由２で引用する刊行物２や３にも記載されていないから、この点は当業者が容易に考えつくことができた構成の変更であるとすることはできない。
　相違点（ｂ）については、「初期状態では、クリア状態とされ、画像入力キーが操作される時にセットされ、画像消去キーが操作される時にクリアされるフラグを記憶する記憶手段」について、刊行物１はもちろんのこと、下記の理由２で引用した刊行物２や３にも記載されていないし、またその点が周知技術であるとすることもできないから、上記記憶手段を備えることは当業者が容易に考えつくことができた構成の変更であるとすることはできないし、その記憶手段のフラグがセットされているか否かによってプリンタの制御をする点についても、当業者が容易に考えつくことができた構成の変更であるとすることはできない。
　相違点（ｃ）については、「画像メモリに画像データが格納されていないと判別したときは、警告を発生させる」点について、刊行物１はもちろんのこと、下記の理由２で引用した刊行物２や３にも記載されていないし、またその点が周知技術であるとすることもできないから、この点は当業者が容易に考えつくことができた構成の変更であるとすることはできない。
　
（まとめ）
　本件発明は刊行物１記載の発明や周知技術に基づいて、当業者が容易に発明をすることができたものであるとすることはできない。
　
（６）理由２：本件発明と刊行物２及び３記載の発明との対比・判断
　本件発明と刊行物２記載の発明と対比すると、刊行物２記載の発明の「補助メモリー」、「記録部」、「記録装置」、「記録開始ボタン」、「制御回路」は、それぞれ本件発明の「画像メモリ」、「プリント部」、「プリンタ」、「プリントキー」、「制御手段」に相当するから、次のような一致点、相違点がある。
（一致点）
　画像データを保持する画像メモリと、上記画像メモリに保持されている画像データによって表される画像をプリントアウトするプリント部とを有するプリンタにおいて、上記画像をプリントするプリント部と、プリント動作開始を指示する制御信号を入力するプリントキーと、上記プリントキーの操作により上記プリント動作開始を指示する制御信号が供給された時に、画像メモリに画像データが格納されているときは、画像メモリに格納されている画像データがプリント部によってプリントされるようにプリント部をプリント動作状態とするように上記プリント部を制御する制御手段を備えたプリンタ。
（相違点）
（ａ）本件発明が、「画像メモリへの画像データの入力を指示する制御信号を入力する画像入力キーと、画像メモリ内の画像データの消去を指示する制御信号を入力する画像消去キー」を備えているのに対して、刊行物２記載の発明は、「画像入力キーや画像消去キー」を備えていない点
（ｂ）本件発明が、「初期状態では、クリア状態とされ、画像入力キーが操作される時にセットされ、画像消去キーが操作される時にクリアされるフラグを記憶する記憶手段」を備えているのに対して、刊行物２記載の発明はそのような記憶手段を備えていない点
（ｂ）本件発明の制御手段が、「上記フラグがセットされている時に上記画像メモリに画像データが格納されていると判別し、上記画像メモリに格納されている上記画像データが上記プリント部によってプリントされるように上記プリント部をプリント動作状態とし、上記記憶手段に記憶されている上記フラグがクリアされている時に上記画像メモリに画像データが格納されていないと判別し、上記キー操作部から上記プリント制御信号が供給されても、上記プリント部をプリント動作状態にしないように上記プリント部を制御すると共に、警告を発生させる」のに対して、刊行物２記載の発明の制御手段は、「画像メモリがストアされたデータを全て出力したときにパルスを発生すると、プリント部をプリント動作状態にしないように制御する」ものである点。
（相違点の検討）
　相違点（ａ）については、刊行物３はもちろんのこと、上記理由１で引用した刊行物１にも記載されていないから、この点が当業者が容易に考えつくことができた構成の変更であるとすることはできない。
　相違点（ｂ）については、刊行物３はもちろんのこと、上記理由１で引用した刊行物１にも記載されていないし、周知技術であるとすることもできないから、この点が当業者が容易に考えつくことができた構成の変更であるとすることはできない。
　相違点（ｃ）については、相違点（ｂ）について当業者が容易に考えつくことができた構成の変更であるとすることができない以上、その記憶手段に記憶されているフラグがセットされているか否かによって画像メモリに画像データが格納されているか否かの判別をしたり、プリントキーが操作され時、その判別にしたがって記録装置を動作状態にしたり、しなかったり制御することについても、当業者が容易に考えつくことができた構成の変更であるとすることはできない。
　また、プリントキーが操作されたときに、画像メモリに画像データが格納されていない場合、警告を発生することについては、刊行物３はもちろんのこと、上記理由１で引用した刊行物１にも記載されていないし、周知技術でもないから、この点からも相違点（ｃ）は当業者が容易に考えつくことができた構成の変更であるとすることはできない。
（まとめ）
　本件発明は刊行物２及び３記載の発明や周知技術に基づいて、当業者が容易に発明をすることができたものであるとすることはできない。
　
（７）むすび
　以上のとおりであるから、特許異議の申立ての理由によっては本件発明の特許を取り消すことはできない。
　また、他に本件発明についての特許を取り消すべき理由を発見しない。
　したがって、本件発明についての特許は拒絶の査定をしなければならない特許出願に対してされたものと認めない。
　よって、平成６年改正法附則第14条の規定に基づく、特許法等の一部を改正する法律の施行に伴う経過措置を定める政令（平成７年政令第205号）第4条第2項の規定により、結論のとおり決定する。
【異議決定日】
平成１２年１１月３０日（２０００．１１．３０）
【訂正の要旨】
訂正の要旨
１．特許明細書の特許請求の範囲の請求項１の
「プリント動作開始を指示する制御信号を入力するキー操作部と、画像データを保持する画像メモリとを有し、上記画像メモリに保持されている画像データによって表される画像をプリントアウトするプリンタにおいて、上記画像をプリントするプリント部と、上記画像メモリに上記画像データが格納されているか否かを判別する判別手段と、上記キー操作部から上記制御信号が供給されたときに、上記プリント部がプリント動作を行うように上記プリント部を制御する制御手段とを備え、上記制御手段は、上記判別手段の判別結果に基づいて、上記画像メモリ内に画像データがある時には、上記キー操作部から上記制御信号が供給されたときに、上記画像メモリに格納されている上記画像データが上記プリント部によってプリントされるように上記プリント部をプリント動作状態とし、上記画像メモリ内に画像データが無い時には、上記キー操作部から上記制御信号が供給されても、上記プリント部をプリント動作状態にしないようになされていることを特徴とするプリンタ。」
を、特許請求の範囲の減縮を目的として、
「画像データを保持する画像メモリと、上記画像メモリに保持されている画像データによって表される画像をプリントアウトするプリント部とを有するプリンタにおいて、上記画像メモリへの画像データの入力を指示する制御信号を入力する画像入力キー、上記画像メモリ内の画像データの消去を指示する制御信号を入力する画像消去キー及びプリント動作開始を指示する制御信号を入力するプリントキーを有するキー操作部と、上記画像をプリントするプリント部と、初期状態では、クリア状態とされ、上記画像入力キーが操作される時にセットされ、上記画像消去キーが操作される時にクリアされるフラグを記憶する記憶手段と、上記キー操作部から上記プリントキーの操作により上記プリント動作開始を指示する上記制御信号が供給された時に、上記記憶手段に記憶されている上記フラグがセットされているか否かを判別し、上記フラグがセットされている時に上記画像メモリに画像データが格納されていると判別し、上記画像メモリに格納されている上記画像データが上記プリント部によってプリントされるように上記プリント部をプリント動作状態とし、上記記憶手段に記憶されている上記フラグがクリアされている時に上記画像メモリに画像データが格納されていないと判別し、上記キー操作部から上記プリント制御信号が供給されても、上記プリント部をプリント動作状態にしないように上記プリント部を制御すると共に、警告を発生させる制御手段とを備えていることを特徴とするプリンタ。」
と訂正する。
２．特許明細書の発明の詳細な説明における［課題を解決するための手段］の項の記載を、明りょうでない記載の釈明を目的として、
「この発明は、画像データを保持する画像メモリと、画像メモリに保持されている画像データによって表される画像をプリントアウトするプリント部とを有するプリンタにおいて、画像メモリヘの画像データの入力を指示する制御信号を入力する画像入力キー、画像メモリ内の画像データの消去を指示する制御信号を入力する画像消去キー及びプリント動作開始を指示する制御信号を入力するプリントキーを有するキー操作部と、画像をプリントするプリント部と、初期状態では、クリア状態とされ、画像入力キーが操作される時にセットされ、画像消去キーが操作される時にクリアされるフラグを記憶する記憶手段と、キー操作部からプリントキーの操作によりプリント動作開始を指示する制御信号が供給された時に、記憶手段に記憶されているフラグがセットされているか否かを判別し、フラグがセットされている時に画像メモリに画像データが格納されていると判別し、画像メモリに格納されている画像データがプリント部によってプリントされるようにプリント部をプリント動作状態とし、記憶手段に記憶されているフラグがクリアされている時に画像メモリに画像データが格納されていないと判別し、キー操作部からプリント制御信号が供給されても、プリント部をプリント動作状態にしないようにプリント部を制御すると共に、警告を発生させる制御手段とを備えていることを特徴とするプリンタである。」
と訂正する。
３．特許明細書の発明の詳細な説明における［発明の効果］の項の記載を、明りょうでない記載の釈明を目的として、
「この発明にかかるプリンタによれば、プリント動作が指令された時、画像メモリ内に画像データが格納されているか否か判別され、もし、画像メモリ内に画像データが格納されていない時にはプリント動作を禁止する制御がなされ、一方、画像メモリ内に画像データがある時には通常のプリント動作がなされるので、画像メモリに画像データが格納されていない場合にはプリント動作に入ってしまうことを防止できるという効果がある。この発明では、画像メモリ内の画像データを消去するためのキーを備えているので、一旦、画像を画像メモリに取り込んだ後でも、画像データが消去されることがある。従って、画像データをメモリに取り込まない場合のみならず、取り込んだ後でプリントするまでの間に、画像データを消去する場合でも画像データが格納されていない場合が生じる。この発明によれば、消去のためのキーが操作されると、フラグがクリアされるので、消去のためのキーを操作したことを忘れても、プリント動作されることを防止できる。この結果、従来のプリンタで発生していたようなプリント動作に関する誤操作を防止できてプリント材の無駄な消費を防止でき、そして、ナンセンスコールを減らせるという効果がある。」
と訂正する。
（５４）【発明の名称】
プリンタ
（５７）【特許請求の範囲】
　　【請求項１】　
画
上
プリント部とを有する
　
上記画像メモリへの画像データの入力を指示する制御信号を入力する画像入力キー、上記画像メモリ内の画像データの消去を指示する制御信号を入力する画像消去キー及びプリント動作開始を指示する制御信号を入力するプリントキーを有するキー操作部と、
　上記画像をプリントするプリント部と、
　
初期状態では、クリア状態とされ、上記画像入力キーが操作される時にセットされ、上記画像消去キーが操作される時にクリアされるフラグを記憶する記憶手段と、
　上記キー操作部から
上記プリントキーの操作により上記プリント動作開始を指示する
時
上記記憶手段に記憶されている上記フラグがセットされているか否かを判別し、
　
上記フラグがセットされている時に上記画像メモリに画像データが格納されていると判別し、
　
上記記憶手段に記憶されている上記フラグがクリアされている時に上記画像メモリに画像データが格納されていないと
プリント
と共に、警告を発生させる制御手段
【発明の詳細な説明】
〔産業上の利用分野〕
　この発明は、印字装置、特に画像メモリを備えているプリンタに関する。
〔従来の技術〕
　従来の画像メモリを有するプリンタ、例えば、カラービデオプリンタでは、画像メモリに画像データとして保持されている静止画像を所望の枚数、ハードコピーとしてプリントアウトすることができる。
〔発明が解決しようとする課題〕
　上記のような従来のカラービデオプリンタには、例えば、１フレーム分の画像データを画像メモリに取り込むためのメモリインキーと、プリント動作を行うためのプリントキーとが全く独立的に機能するタイプのものがある。
　この種のカラービデオプリンタでは、画像メモリに画像データが全く格納されていないにもかかわらず、プリントキーが押されるとプリント動作に入ってしまうことがあるという問題点があった。
　この結果、静止画像の印刷がなされずにプリント動作が行われてしまうことになり、プリント材を無駄に消費してしまうという問題点があった。
　従って、この発明の目的は、画像メモリに画像データが格納されていない場合にはプリント動作を禁止し得るプリンタを提供することにある。
〔課題を解決するための手段〕
　この発明は、画像データを保持する画像メモリと、画像メモリに保持されている画像データによって表される画像をプリントアウトする
プリント部とを有する
　
画像メモリヘの画像データの入力を指示する制御信号を入力する画像入力キー、画像メモリ内の画像データの消去を指示する制御信号を入力する画像消去キー及びプリント動作開始を指示する制御信号を入力するプリントキーを有するキー操作部と、
　画像をプリントするプリント部と、
　
初期状態では、クリア状態とされ、画像入力キーが操作される時にセットされ、画像消去キーが操作される時にクリアされるフラグを記憶する記憶手段と、
　キー操作部から
プリントキーの操作によりプリント動作開始を指示する
時
記憶手段に記憶されているフラグがセットされているか否かを判別し、
　
フラグがセットされている時に画像メモリに画像データが格納されていると判別し、
　
記憶手段に記憶されているフラグがクリアされている時に画像メモリに画像データが格納されていないと
プリント
と共に、警告を発生させる制御手段
〔作用〕
　プリント動作が指令された時、画像メモリ内に画像データが格納されているか否か判別される。
　もし、画像メモリに画像データが格納されていない時には、プリント動作を禁止する制御がなされ、これによって、プリント動作がなされない。
　また、画像メモリに画像データが有る時には、通常のプリント動作がなされ、所望の静止画像を得ることができる。
〔実施例〕
　以下、この発明の一実施例について第１図乃至第３図を参照して説明する。この一実施例では、プリンタとしてカラービデオプリンタを例にして説明している。
　第１図の構成に於いて、破線にて示す部分がカラービデオプリンタ１の要部である。
　このカラービデオプリンタ１は、各回路ブロックの動作を制御すると共にプリント動作を行えるか否かを表示するためのフラグレジスタ１６を備えるＣＰＵ２と、ＣＰＵ２にバスを介して接続され画像データと各種の制御データを記憶するメモリ３と、ＣＰＵ２にバスを介して接続されキー操作に基づき各種の制御信号をＣＰＵ２に供給するキー操作部４と、ＣＰＵ２にバスを介して接続されメモリ３に画像データが格納されていないにもかかわらず後述するプリントキーが押された場合に警告を液晶表示するための表示部５と、ＣＰＵ２にバスを介して接続されＣＰＵ２の制御によってメモリ３に記憶されている画像データに基づく静止画像を印刷用紙にプリントするプリンタ部６とから構成されている。
　ＣＰＵ２には、カラービデオプリンタ１の外部に配されているモニタ７及びビデオ機器８が接続されている。モニタ７とビデオ機器８が、カラービデオプリンタ１に接続されていることによって、再生している画像或いはプリントしたい画像をモニタ７で見ることが出来、且つカラービデオプリンタ１からの各種メッセージをモニタ７に表示させることが出来る。
　次いで、キー操作部４について説明する。
　このキー操作部４は、第２図に示されるようにプリント動作を指示するためのプリントキー１１、プリント動作を途中で停止させるためのプリント停止キー１２、メモリ３に保持されている静止画像とビデオ機器８から供給される画像とを切換える入力／メモリ切換えキー１３、所望の画像の画像データをメモリ３に記憶させるメモリインキー１４、メモリ３に記憶されている画像データを消去するクリヤキー１５等から構成されている。
　以下、プリント動作が指示された時の処理について、第３図に示されるフローチャートを参照して説明する。
　ステップ１０１にて、図示せぬパワースイッチを押すと電源がオンとされる。次いで、ステップ１０２に移る。
　ステップ１０２にて、プリント動作を行うか否かを表示するためのフラグレジスタ１６の値〔以下、フラグと称する〕Ｆがクリアされて初期値設定がなされる。次いで、ステップ１０３に移る。
　ステップ１０３にて、メモリインキー１４の操作を有無が調べられる。もし、メモリインキー１４が押されている場合には、メモリインキー１４に対応する制御信号がキー操作部４からＣＰＵ２に供給されるため、メモリインキー１４の押されたことがＣＰＵ２によって検出される。この場合はステップ１０４に移る。
　ステップ１０４では上述のフラグＦがセットされ、次いでステップ１０５に移る。
　ステップ１０５にて、画像データがメモリ３に格納される。即ち、第１図に示されるビデオ機器８、例えば、ビデオテープレコーダから供給される画像が、メモリインキー１４の押されたタイミングで１フレーム或いは１フィールドの静止画像とされ、この静止画像の画像データが、ＣＰＵ２の制御によってメモリ３に取込まれる。つまり、フラグレジスタ１６がセットされることは、静止画像データがメモリ３に格納されていることを表している。このステップ１０５が終了するとステップ１０３に戻る。
　ステップ１０６にて、クリヤキー１５の操作の有無が調べられる。もし、クリヤキー１５が押されている場合には、クリヤキー１５に対応する制御信号がキー操作部４からＣＰＵ２に供給されるため、クリヤキー１５の押されたことがＣＰＵ２によって検出される。この場合はステップ１０７に移る。
　ステップ１０７では上述のフラグＦがリセットされ、次いでステップ１０８にてメモリ３がクリヤされる。つまり、フラグレジスタ１６がリセットされることは、静止画像データがメモリ３に格納されていないことを表している。尚、メモリ３が複数のメモリ領域に分割され、各メモリ領域がフレームメモリ或いはフィールドメモリとして機能し得るようになされている場合には、複数のメモリ領域の一部に前画像データを残さないため、全てのメモリ領域がクリヤされる。次いでステップ１０３に戻る。
　ステップ１０９にて、プリントキー１１の操作の有無が調べられる。もし、プリントキー１１が押されている場合には、プリントキー１１に対応する制御信号がキー操作部４からＣＰＵ２に供給されるため、プリントキー１１の押されたことがＣＰＵ２によって検出される。この場合はステップ１１０に移る。
　ステップ１１０では上述のフラグＦがセットされているか否かが調べられる。また、プリントキー１１が押されていない場合には、ステップ１０３に戻る。
　ステップ１１０にて、もし上述のフラグＦがセット（＝“１”）されていることが検出されれば、ステップ１１１に移り、プリント動作がなされる。
　このプリント動作は、以下のようにしてなされる。即ち、ＣＰＵ２の制御によって、メモリ３から静止画像データが読み出されてプリンタ部６に供給される。プリンタ部６では、ＣＰＵ２の制御によって、図示せぬ印刷用紙に、上述の静止画像データによって表される静止画像がプリントされる。そして、プリントが終了すると排紙される。また、上述のフラグＦがセットされていなければ、プリント動作に入らず、ステップ１１２に移る。
　ステップ１１２に至るのは、メモリ３に画像データが格納されていないにもかかわらず、プリントキー１１を押してプリント動作を行わせようとした場合である。このような場合には、ＣＰＵ２の制御によってプリント動作が禁止されると共に、表示部５にて警告が発せられる。この警告は、図示せぬタイマによって規定される所定時間経過後に解消され、警告発生前の状態に戻される。尚、この警告は、表示手段のみならず、ブザー、チャイム、声等の音声を用いてもよい。
　このように、電源がオンされた時或いはメモリクリヤ動作がなされた時のようにメモリ３に静止画像データが格納されていない時は、プリントキー１１が押されていてもプリント動作が禁止され、プリント動作がなされない。
　尚、この一実施例では、メモリ３が複数のメモリ領域に分割されている場合には全てのメモリ領域をクリヤする例について説明しているが、これに限定されるものではなく、例えば、必要な静止画像データの格納されているメモリ領域のみを除外して他のメモリ領域をクリヤするようにしてもよい。
　このように、プリント動作が指令された時、メモリ３に画像データが格納されているか否か判別され、もし、メモリ３に画像データが格納されていない時にはプリント動作を禁止する制御がなされ、一方、メモリ３に画像データが有る時には通常のプリント動作がなされるので、画像メモリに画像データが格納されていない場合にはプリント動作に入ってしまうことを防止できる。
　この結果、従来のプリンタで発生していたようなプリント動作に関する誤操作を防止できてプリント材の無駄な消費を防止でき、そして、ナンセンスコールを減らせる。
　尚、この一実施例では、カラービデオプリンタ１を例にして説明しているが、これに限定されるものではなく、この発明の要旨を逸脱していない範囲で種々の変形が可能であることは勿論である。
〔発明の効果〕
　この発明にかかるプリンタによれば、プリント動作が指令された時、画像メモリ内に画像データが格納されているか否か判別され、もし、画像メモリ内に画像データが格納されていない時にはプリント動作を禁止する制御がなされ、一方、画像メモリ内に画像データが有る時には通常のプリント動作がなされるので、画像メモリに画像データが格納されていない場合にはプリント動作に入ってしまうことを防止できるという効果がある。
この発明では、画像メモリ内の画像データを消去するためのキーを備えているので、一旦、画像を画像メモリに取り込んだ後でも、画像データが消去されることがある。従って、画像データをメモリに取り込まない場合のみならず、取り込んだ後でプリントするまでの間に、画像データを消去する場合でも画像データが格納されていない場合が生じる。この発明によれば、消去のためのキーが操作されると、フラグがクリアされるので、消去のためのキーを操作したことを忘れても、プリント動作がされることを防止できる。
　この結果、従来のプリンタで発生していたようなプリント動作に関する誤操作を防止できてプリント材の無駄な消費を防止でき、そして、ナンセンスコールを減らせるという効果がある。
【図面の簡単な説明】
　第１図はこの発明にかかるプリンタの一実施例のブロック図、第２図はキー操作部の詳細を示す図、第３図は動作を説明するためのフローチャートである。
図面における主要な符号の説明
１：カラービデオプリンタ、２：ＣＰＵ、
３：メモリ、４：キー操作部、５：表示部、
６：プリンタ部、１６：フラグレジスタ、
Ｆ：フラグ。